(57)【特許請求の範囲】
【請求項１】
ケーブル心線を巻き付ける心線巻回部１１と、心線接続用のコネクタ保持部１２とを備えた心線収納トレイ１０を有する固定ケース１に蓋ケース２を摺動自在に組み付けると共に、前記固定ケース１に形成したケーブル配索孔３から光ファイバ心線とテンションメンバを有する複数の光ケーブルを導入し、該テンションメンバを固定ケース１に設けたテンションメンバ固定金具４に止着して光ファイバ心線を互いに接続するケーブルアクセスボックスにおいて、前記心線収納トレイ１０に形成した心線導出入部１３の心線導出入軸方向と同心に心線収納トレイ１０の連結ピン１４を取付アーム１５を介して設け、該連結ピン１４を固定ケース１にある支承部１６の嵌合孔１６１に回動自在で、かつ着脱自在に配備すると共に、前記取付アーム１５に、位置固定用の凹状係止部１７を複数備え、各凹状係止部１７を前記支承部１６に形成した凸状係止部１８に係脱自在に配備され、さらに前記固定ケース１の内面両サイドに前記心線収納トレイ１０の支承部１６を一対対向して備え、該支承部１６の嵌合孔１６１の位置を上下方向に段差をつけて複数形成して前記心線収納トレイ１０を観音開きできるように連結していることを特徴とするケーブルアクセスボックス。
【請求項２】
前記ケーブル配索孔３が、前記固定ケース１に着脱自在に嵌着される可撓性板３０に複数並列して備えられたスリット３１のある挿通孔であって、該挿通孔中に切除可能の薄肉壁３２を有している請求項１記載のケーブルアクセスボックス。
【請求項３】
前記テンションメンバ固定金具４が、複数の心線挿入用凹溝４０と、各凹溝４０の両サイドにテンションメンバ挿通孔４１と、各挿通孔４１に突没自在に設けたテンションメンバ固定子４２とを備えたものである請求項１または２記載のケーブルアクセスボックス。
【発明の詳細な説明】
【０００１】
【発明の属する技術分野】
本発明は、テンションメンバと光ファイバ心線を有する光ケーブルの接続に用いる光ケーブル接続用収納ケース、詳しくは、ケース本体にテンションメンバを含む光ケーブルや送り込みケーブル、ドロップケーブルなどの各ケーブルを接続分配するために止着状態に保持し接続部を収納するようにしたケーブルアクセスボックスに関するものである。
【０００２】
【従来の技術】
一般に、光ファイバ心線とテンションメンバを有する光ケーブルの接続に際しては、テンションメンバを止着することが不可欠である。このため、従来では、光ケーブル接続用収納ケースにねじ穴を形成し、このねじ穴に螺合するねじ部材にテンションメンバの端部を巻き付けて工具を用いて止着することが行われていた。
【０００３】
【発明が解決しようとする課題】
しかしながら、従来の光ケーブル接続分配にあっては、ケーブル端末処理にはケーブル被覆の剥がし、切裂、曲げ加工が必要で心線を取り出す際にはケーブルを長めに裂いて作業し、ケースへの止着作業ではテンションメンバを心線から裂いてテンションメンバ端部の被覆を剥がし、露出したテンションメンバ端を巻き付け止着する作業が不可欠で作業工数が多く時間もかかって、心線の交換や増設もむずかしく、しかもねじ部材が経時的な緩みを生じやすく、テンションメンバやケーブルが外れるおそれがあるほか、心線配線経路によっては心線のねじれ現象が生ずるという心線接続の安全性の上で問題があった。本発明は、これら従来の欠点を排除しようとするもので、光ケーブル、テンションメンバや送り込みケーブルなどを経時的な緩みを生じることなく止着でき、また、止着作業並びに心線接続作業も容易に行うことができ各ケーブルの併用でも取扱い容易なケーブルアクセスボックスを提供することを目的とする。
【０００４】
【課題を解決するための手段】
本発明は、ケーブル心線を巻き付ける心線巻回部と、心線接続用のコネクタ保持部とを備えた心線収納トレイを有する固定ケースに蓋ケースを摺動自在に組み付けると共に、前記固定ケースに形成したケーブル配索孔から光ファイバ心線とテンションメンバを有する複数の光ケーブルを導入し、該テンションメンバを固定ケースに設けたテンションメンバ固定金具に止着して光ファイバ心線を互いに接続するケーブルアクセスボックスにおいて、前記心線収納トレイに形成した心線導出入部の心線導出入軸方向と同心に心線収納トレイの連結ピンを取付アームを介して設け、該連結ピンを固定ケースにある支承部の嵌合孔に回動自在で、かつ着脱自在に配備すると共に、前記取付アームに位置固定用の凹状係止部を複数備え、各凹状係止部を前記支承部に形成した凸状係止部に係脱自在に配備され、さらに固定ケースの内面両サイドに前記心線収納トレイの支承部を一対対向して備え、該支承部の嵌合孔の位置を上下方向に段差をつけて複数形成して前記心線収納トレイを観音開きできるように連結しているものである。
【０００５】
【発明の実施の形態】
この発明にかかるケーブルアクセスボックスは、テンションメンバごとケーブル全体をケーブル配索孔に装入してからテンションメンバをテンションメンバ固定金具の一対のテンションメンバ挿通孔に分けて通し固定子で止着すると共に、該挿通孔間の中心にある凹溝に心線を嵌入係止させて、さらに心線押えを介して心線収納トレイの一方の心線導出入部から心線収納トレイ内に入れ、心線巻回部を経て心線接続部となるコネクタを保持部に支持し、該コネクタで接続分岐した心線を他の心線導出入部から取り出してケーブル配索孔からケース本体外に導出できるようにして、固定ケースに蓋ケースを被せて光ケーブルを定着する。この場合、閉蓋前に光ケーブルはコネクタで接続して余長心線は開蓋した心線収納トレイに巻き取りコネクタを保持したのち、心線収納トレイを固定ケース内に嵌着する。この固定ケースにはＳＣコネクタ、単心ＭＴコネクタ、或いはメカニカルスプライスの単独または組合せで収容できるコネクタ保持部或いはモジュールのある心線収納トレイを選んで嵌着する。この後に、蓋ケースをスライドして組み付けるとケーブル配索孔のある可撓性板が固定ケースと蓋ケースとで嵌着され、ケーブルがテンションメンバを止着した位置に保持されるし、ケーブルの抜けも防止され、このため、テンションメンバやケーブルの止着が外れることが確実に防止できる。
また、固定ケース内部にある心線収納トレイは取付アームを介して設けた連結ピンが心線導出入部の軸心方向にあって回動するので心線収納トレイを旋回して展開しても配線心線のねじれがなく安全な状態で整とん処理でき取扱作業も簡便で確実に収納することもできる。
【０００６】
【実施例】
以下、この発明の実施例を図１乃至図７を参照して説明すると、幹線光ケーブルに設けられた架空クロージャから分岐した分岐光ケーブルがケーブルアクセスボックスに導入され、このケーブルアクセスボックスから建物内に向けて引込光ケーブルが分岐配索されて用いられるものである。
【０００７】
光ケーブル接続用収納ケース（以下、単に収納ケースと称する）は、取付板にあるフック或いはリングにバンドを通して電柱に抱き付けて固定され、或いは建物の外壁に取付けられて用いられる。そしてケーブル心線を巻き付ける心線巻回部１１と、心線接続用のコネクタ保持部１２とを備えた心線収納トレイ１０を有する固定ケース１に蓋ケース２を摺動自在に組み付けると共に、前記固定ケース１に形成したケーブル配索孔３から光ファイバ心線とテンションメンバを有する複数の光ケーブルを導入し、該テンションメンバを固定ケース１に設けたテンションメンバ固定金具４に止着して光ファイバ心線を互いに接続する光ケーブル接続用収納ケースであって、前記心線収納トレイ１０に形成した心線導出入部１３の心線導出入軸方向と同心に心線収納トレイ１０の連結ピン１４を取付アーム１５を介して設け、該連結ピン１４を固定ケース１にある支承部１６に回動自在で、かつ着脱自在に配備してある。
【０００８】
また、前記固定ケース１は、外面にリング５のある取付板６を備え、内面両サイドに前記心線収納トレイ１０の支承部１６を一対対向して備え、該支承部１６の嵌合孔１６1 の位置を上下方向に段差つけて複数形成して前記心線収納トレイ１０を観音開きできるように連結する。（図１乃至図３）
従って複数積層される心線収納トレイは固定ケースの左右に振り分けて展開位置でき前方のトレイが邪魔にならずに電柱上の架空での心線接続作業が良好にでき作業効率を向上できるし、光ケーブルの導出入も両方にバランスよく振り分けて配線できスペースが限られている電柱に容易に設置することができる。
この固定ケース１は、樹脂の射出成形等により成形され、ケーブル導入用の配索孔３が形成された可撓性板３０が嵌着され、該ケーブル配索孔３から光ファイバ心線とテンションメンバを有する複数の光ケーブルを導入し、該光ケーブルのテンションメンバを止着するテンションメンバ固定金具４に定着できるようにしてある。（図１０及び図１１）  この光ケーブルをテンションメンバごと止着するテンションメンバ固定金具４としては、複数の心線挿入用凹溝４０と、各凹溝４０の両サイドにテンションメンバ挿通孔４１に突没自在に設けたテンションメンバ固定子４２とを備えたもので光ケーブルを止着するようにしてある。（図１１）
【０００９】
前記心線収納トレイ１０にある前記連結ピン１４としては、取付アーム１５の両側に突設され、該取付アーム１５に位置固定用の凹状係止部１７を複数備え各凹状係止部１７を前記支承部１６に形成した凸状係止部１８に係脱自在に配備され固定ベース１に対して心線収納トレイ１０が水平状態並びに垂直状態に保持抵抗が大きく確実に固定支持されるようにし架空作業の際に開いた心線収納トレイ１０が風などや作業中での手などの接触によってもみだりに動かないので保持位置が維持され心線接続作業がしやすくしてある。（図６及び図７）
【００１０】
さらに、前記心線収納トレイ１０内の心線巻回部１１は図４に示すように心線を巻き取る環状壁及び押え片１９とからなり心線接続用のコネクタを収納するコネクタ収納部１２には両サイドにバネ片２０のあるリブ２１で区画して備え、コネクタの挾持を確実化し、さらに仕切壁２２或いは凹凸折曲部を設けて偏平状トレイの補強を兼ねると共に、連結ピンとを反対側面に取付用のヘッド部のあるノブ２３を突設してある。このノブ２３は旋回操作把手として利用するほか、心線収納トレイ１０を固定ケース１から取り外した際に他のケースに嵌着する係止取付部として活用するのがよい。（図４及び図８）
この場合、前記心線収納トレイ１０は周囲及び中央に環状壁を底面板に立設した偏平ケースであって、ＳＣコネクタ、単心ＭＴコネクタ或いはメカニカルスプライスの単独または組合せを収容できるコネクタ収納保持部１２を形成したものを選んで用いられる。また、この心線収納トレイ１０にはトレイ蓋１０1 が取付け孔２４を介して取付片２５に着脱自在に備えられ、段積状態で固定ケース１に装備されて整理しやすくし心線識別も容易にできるようにしてある。（図４及び図５）
【００１１】
前記ケーブル配索孔３は、前記固定ケース１に着脱自在に嵌着されるスポンジ或いはパッキンなどの可撓性板３０に複数並列して備えられたスリット３１のある挿通孔であって、該挿通孔中に切除可能の薄肉壁３２を有していて、必要なケーブル配索孔３のみを使用しシール性確保を容易にしてある。（図１０）
なお、可撓性板３０は固定ケース１に突設した取付舌片９に嵌装する嵌入孔３３と、外周側に凹溝３４及び凸状の嵌合部３５と、係止孔３６とを有し、それぞれ固定ケース１及び蓋ケース２に対応して設けた凹凸嵌合部７と係止爪８及びガイド溝３９に嵌着支持できるようにしてある。（図２及び図１２）
【００１２】
また、前記固定ケース１には、蓋ケース２が取り付けられる摺動嵌合係止部３７が設けられ、これに嵌合する嵌合係止部３８が蓋ケース２側に備えられると共に、互に当接する当部または引掛部を固定ケース１または蓋ケース２に設けてロック機能をはたすようにするのがよい。（図３及び図１２）
【００１３】
なお、前記心線収納トレイ１０の心線導出入部１３には、図９に示す心線を挿入する異径挿通孔４７を複数備えたＣＲゴム等の弾性心線押え４８を圧入保持し、心線のねじれ防止に役立てることが配慮されている。
【００１４】
この実施の形態にかかる光ケーブル接続用収納ケースにあっては、分岐光ケーブルと引込光ケーブルの接続に際しては、先ず、固定ケース１を電柱にバンド等を用いて抱き込み固定し、分岐光ケーブルと引込光ケーブルをそれぞれ配索孔に、例えば、分岐光ケーブルを一方のケーブル配索孔３に引込光ケーブルを他方のケーブル配索孔３に通す。そして、各光ケーブルのテンションメンバは、テンションメンバ固定金具４に止着し、また光ファイバ心線はケーブル巻回・接続部に導いてコネクタにより接続し、その余長部分を心線収納トレイ１０に巻き取って保持する。
【００１５】
この後、固定ケース１の心線収納トレイ１０を蓋ケース２により被蓋して蓋ケース２を固定ケース１に定着する。ここで、蓋ケース２は内面の保持突起などの係止凹部が、固定ケース１の係止凸部に当接してロックされ移動を阻止する。したがって、止着されたテンションメンバまたはケーブルは緩みを生じることを防止でき、最小工具で接続作業が行えるため、ケーブル接続作業が容易である。
また、上述した各実施の形態では、蓋ケース２を固定ケース１に取り付けることで、心線収納トレイ１０の振れ止めと押さえ（浮き上がりの防止）を行うが、蓋ケース２によって浮き上がりの防止のみを行わせることも可能である。
【００１６】
前記蓋ケース２は、図１２に示すように一端に袋状のキャップ部４４を有し他端内面にガイド溝３９とロック凹部４３とを形成し、固定ケース１にある係合部３７と嵌合係止部３８で摺動自在に組み込まれ固定ケース１に設けた可撓性板３０の係止部３５とロック凸部４３１に嵌め込まれて蓋ケース２がみだりに開蓋しないようにしてある。（図２及び図１０）
【００１７】
なお、この具体例では、架空配線に付設される接続用クロージャからドロップアウトした分岐線を接続するために電柱設置型とした架空配線分配用の光ケーブル接続用収納ケースとしたもので、固定ケース１のリング５に電柱取付用スチールベルト（図示せず）を挿通して取付けられるが、取付板６の取替えで容易に建物、室内などの固定タイプとすることができる。（図１）
【００１８】
【発明の効果】
本発明は、ケーブル心線を巻き付ける心線巻回部と、心線接続用のコネクタ保持部とを備えた心線収納トレイを有する固定ケースに蓋ケースを摺動自在に組み付けると共に、前記固定ケースに形成したケーブル配索孔から光ファイバ心線とテンションメンバを有する複数の光ケーブルを導入し、該テンションメンバを固定ケースに設けたテンションメンバ固定金具に止着して光ファイバ心線を互いに接続するケーブルアクセスボックスにおいて、前記心線収納トレイに形成した心線導出入部の心線導出入軸方向と同心に心線収納トレイの連結ピンを取付アームを介して設け、該連結ピンを固定ケースにある支承部の嵌合孔に回動自在で、かつ着脱自在に配備すると共に前記取付アームに位置固定用の凹状係止部を複数備え、各凹状係止部を前記支承部に形成した凸状係止部に係脱自在に配備されていることにより、各種のケーブルをテンションメンバとともに止着状態に兼用保持でき、その止着作業も容易な作業で止着できるしケーブルも容易なワンタッチで作業でき、しかも心線収納トレイを回動変位しても心線がよじれることなく安全で作業がしやすく、しかも、固定ベースに対して心線収納トレイが所定位置に的確に固定保持されふらついたり、外れたりすることなく心線接続作業を著しくしやすくでき、確実な固定支持ができて作業性を大巾に向上でき、さらに固定ケースの内面両サイドに前記心線収納トレイの支承部を一対対向して備え、該支承部の嵌合孔の位置を上下方向に段差をつけて複数形成して前記心線収納トレイを観音開きできるように連結していることで複数積層される心線収納トレイは固定ケースの左右に振り分けて展開位置でき前方のトレイが邪魔にならずに電柱上の架空での心線接続作業が良好にでき作業効率を向上できるし、光ケーブルの導出入も両方にバランスよく振り分けて配線できスペースが限られている電柱に容易に設置することができるほか、心線収納トレイの展開面も左右両方に保持固定できて多面を有効に利用して作業性を大巾に向上できるし、心線接続後の接続部材の固定も一元的収納部に集約して収納も簡単で識別容易なケーブル把持が可能であり、かつテンションメンバを確実に止着でき、経時的な緩みも有効に防止でき各ケーブルのアクセス取扱い容易なケーブルアクセスボックスとすることができる。
【図面の簡単な説明】
【図１】  本発明の一の実施例を示し、（ａ）は一部切欠正面図、（ｂ）は一部切欠側面図、（ｃ）は背面図、（ｄ）は底面図である。
【図２】  図１の例の固定ケースを示し、（ａ）はその正面図、（ｂ）は中央縦断面図、（ｃ）は底面図である。
【図３】  （ａ）は図１のＡ−Ａ線における縦断面図、（ｂ）は図１のＢ−Ｂ線における縦断面である。
【図４】  図１の例で用いられる心線収納トレイで蓋を外した状態を示し、（ａ）は背面図、（ｂ）は平面図、（ｃ）は側面図、（ｄ）はＣ−Ｃ線における縦断面図、（ｅ）はＤ−Ｄ線における縦断面図である。
【図５】  本発明で用いられる心線収納トレイのトレイ蓋を示す平面図である。
【図６】  図４の一部を拡大して示し、（ａ）は平面図、（ｂ）はＥ−Ｅ線における縦断面図、（ｃ）はＦ−Ｆ線における縦断面図である。
【図７】  本発明で用いられる心線収納トレイの作動状態を示し、（ａ）は一部の拡大側面図、（ｂ）はＦ1 −Ｆ1 線における切断面図である。
【図８】  図４の例の一部の拡大詳細図で、（ａ）はその平面図、（ｂ）はＧ−Ｇ線における縦断面図、（ｃ）はＨ−Ｈ線における縦断面図である。
【図９】  本発明で用いられる心線押えを示し、（ａ）は側面図、（ｂ）は底面図、（ｃ）は側面図、（ｄ）はＩ−Ｉ線における縦断面図である。
【図１０】  本発明で用いられるケーブル把持具を示し、（ａ）はその正面図、（ｂ）は一部切断の平面図、（ｃ）は側面図、（ｄ）はＪ−Ｊ線における縦断面図である。
【図１１】  本発明で用いられるテンションメンバ固定金具を示し、（ａ）はその平面図、（ｂ）はその正面図、（ｃ）はＫ−Ｋ線における縦断面図である。
【図１２】  本発明で用いられる蓋ケースを示し、（ａ）はその平面図、（ｂ）は正面図、（ｃ）は側面図である。
【符号の説明】
１  固定ケース
２  蓋ケース
３  ケーブル配索孔
４  テンションメンバ固定金具
５  リング
６  取付板
７  凹凸嵌合部
８  係止爪
９  取付舌片
１０  心線収納トレイ
１０１  トレイ蓋
１１  心線巻回部
１２  コネクタ保持部
１３  心線導出入部
１４  連結ピン
１５  アーム
１６  支承部
１６１  嵌合孔
１７  係止部
１８  被係止部
１９  心線押え片
２０  バネ片
２１  リブ
２２  仕切壁
２３  ノブ
３０  可撓性板
３１  スリット
３２  肉薄壁
３３  嵌入孔
３４  凹溝
３５  嵌合部
３６  係止孔
３７  嵌合部
３８  嵌合係止部
４０  心線挿入用凹溝
４１  テンションメンバ挿通孔
４２  テンションメンバ固定子
４３  ロック凹部
４３１  ロック凸部
４７  異径挿通孔
４８  弾性心線押え
【図１】
0003914290.tif 000002
【図２】
0003914290.tif 000003
【図３】
0003914290.tif 000004
【図４】
0003914290.tif 000005
【図５】
0003914290.tif 000006
【図６】
0003914290.tif 000007
【図７】
0003914290.tif 000008
【図８】
0003914290.tif 000009
【図９】
0003914290.tif 000010
【図１０】
0003914290.tif 000011
【図１１】
0003914290.tif 000012
【図１２】
0003914290.tif 000013